(57)【特許請求の範囲】
【請求項１】
入金された硬貨を鑑別する鑑別手段と、
上記鑑別された硬貨を各金種毎の硬貨スタッカ部に収納する収納手段と、
当該硬貨スタッカ部が満杯のときに所定の金種の硬貨をオーバフロー部に収納し、該所定の金種以外の金種の硬貨を硬貨カセット部に排出する手段と、
上記オーバフロー部に収納されている硬貨と同金種の硬貨を収納する上記硬貨スタッカ部に所定枚数以上の空きができたときに、該オーバフロー部から該所定の枚数の硬貨を補充する手段と
を備えたことを特徴とする硬貨支払装置。
【請求項２】
入金された硬貨を鑑別する鑑別手段と、
上記鑑別された硬貨を各金種毎の硬貨スタッカ部に収納する収納手段と、
当該硬貨スタッカ部が満杯のときに所定の金種の硬貨をオーバフロー部に収納し、該所定の金種以外の金種の硬貨を硬貨カセット部に排出する手段と、
上記オーバフロー部に収納されている硬貨と同金種の硬貨を収納する上記硬貨スタッカ部に所定枚数以上の空きができたときに、該オーバフロー部から該所定の枚数の硬貨を補充する手段と
して機能させるプログラムを記録したコンピュータ読取可能な記録媒体。
【発明の詳細な説明】
【０００１】
【発明の属する技術分野】
本発明は、入金された硬貨を支払う硬貨支払装置および記録媒体に関するものである。
【０００２】
【従来の技術】
従来、図９に示すような硬貨ユニット６１を持つ自動預金支払機において、硬貨入金処理時に、顧客が硬貨を入出金口６３に入れると、この硬貨を鑑別して該当する支払用の硬貨スタッカ部６８に収納して支払に備え、一方、硬貨スタッカ部６８が満杯のときはオーバフロー部６７を経由して回収専用の支払不可（再利用不可）の硬貨カセット部６９に収納していた。
【０００３】
また、硬貨を補充するための随時補充カセット部７０に複数の筒を設けてこれら筒に各金種（１０円、５０円、１００円などの金種）毎に硬貨をそれぞれ１本単位に入れておき、該当筒から１本（通常は硬貨が５０枚）単位に取り出して上記該当金種の硬貨スタッカ部６８に補充を行うようにしていた。以下従来の自動預金支払機の硬貨ユニット６１について図９を用いて構成および動作を簡単に説明する。
【０００４】
図９は、従来技術の説明図を示す。
図９において、硬貨ユニット６１は、硬貨を入金したり、出金したりするユニットであって、図示のように６２ないし７０などから構成されるものである。
【０００５】
シャッタ部６２は、入出金口６３を開いたり閉めたりするものである。
入出金口６３は、硬貨を入金したり、出金し（取り出し）たりするものである。
【０００６】
繰り出し部６４は、硬貨を繰り出すものである。
一次保留部６５は、硬貨スタッカ部６８に収納する硬貨を一時的に保留するものである。
【０００７】
一次保留ベルト部６６は、一次保留部６５で保留しない硬貨を保持するものである。
オーバフロー部６７は、一次保留ベルト部６６で保留された硬貨を収納するものである。
【０００８】
硬貨スタッカ部６８は、出金する硬貨を収納するものであって、一次保留部６５で保留された硬貨を収納するものである。
硬貨カセット部６９は、オーバフロー部６７に収納された硬貨を収納するものである（再利用不可）。
【０００９】
随時補充カセット部７０は、硬貨スタッカ部６８に補充する硬貨を１本（例えば５０枚）単位に収納するものである。
次に、動作を説明する。
【００１０】
シャッタ部６２を開いて入出金口６３に入金（投入）された硬貨は、繰り出し部６４を通って図示外の鑑別部で金種を鑑別し、該当する一次保留部６５に保留して硬貨スタッカ部６８の空きの部分に収納する。一次保留部６５に保留できなかった硬貨は、一次保留ベルト部６６に保留され、オーバフロー部６７に収納される。そして、オーバフロー部６７の硬貨は取り出されて硬貨カセット部６９に再利用不可の形態で収納（落下されて収納）される。
【００１１】
一方、随時補充カセット部７０に金種毎に１本（例えば５０枚）単位に収納しておき、硬貨スタッカ部６８に１本以上の空きができると、該当金種の硬貨を随時補充カセット部７０から取り出して当該硬貨スタッカ部６８に補充するようにしていた。
【００１２】
【発明が解決しようとする課題】
このため、入金された硬貨のうち、支払用の硬貨スタッカ部６８が満杯で収納できなかった金種の硬貨は、オーバフロー部６７を経由して再利用不可（支払不可）の硬貨カセット部６９に収納されてしまっていたので、再利用して支払うことができず、係員が取り出して同じ金種の硬貨を１本（通常５０枚）にして補充（例えば随時補充カセット部７０に補充）する作業が生じてしまうという問題がある。
【００１３】
また、随時補充カセット部７０の複数の筒に金種毎に１本（例えば５０枚）を取り出して該当硬貨スタッカ部６８に補充するようにしていたため、硬貨スタッカ部６８に１本（例えば５０枚）の空きが生じた時点で硬貨スタッカ部６８に補充を行うようにしていたため、硬貨の効率的な硬貨スタッカ部６８に補充ができないという問題があった。また、随時補充カセット部７０に設けた複数の筒には、各筒毎に同一金種を１本（例えば５０枚）単位にしか補充できず、各筒に５０枚以上の空きがないと補充不可であると共に、良く使う金種が速くなくなってしまい当該良く使う金種の硬貨を必要に応じて多く補充できなく、使い勝手が悪いという問題があった。
【００１４】
本発明は、これらの問題を解決するため、入金された硬貨のうち支払用の硬貨スタッカ部に収納できない硬貨を一時的にオーバフロー部に保留し硬貨スタッカ部に空きができたときに自動補充する機能を設けると共に随時補充カセット部に任意の金種の硬貨を混合補充可として鑑別して該当金種の硬貨スタッカ部に自動補充および未補充硬貨をオーバフロー部で保留する機能を設けることで、入金された硬貨のリサイクルを実現、および硬貨の任意の金種を混合して補充可として操作性を向上させることを目的としている。
【００１５】
【課題を解決するための手段】
図１を参照して課題を解決するための手段を説明する。
図１において、鑑別部３’は、硬貨を鑑別するものである。
【００１６】
一次保留部５は、硬貨を保留するものである。
硬貨スタッカ部７は、例えば支払用あるいは入金された硬貨を金種毎に収納するものである。
【００１７】
オーバフロー部８は、一次保留部５で保留できない硬貨を保留するものである。
硬貨カセット部９は、オーバフロー部８で保留しない硬貨を収納するものである。
【００１８】
随時補充カセット部４は、補充する硬貨を混在して収納するものである。
次に、動作を説明する。
鑑別部３’が入金された硬貨を鑑別して金種毎に分け、搬送して該当する金種の硬貨スタッカ部７に収納し、硬貨スタッカ部７が満杯のときにオーバフロー部８にリサイクル率の高い金種の硬貨を保留し、他の硬貨を排出する（硬貨カセット部９に収納する）。そして、硬貨スタッカ部７に所定のＮ（Ｎは正の整数）枚数以上の空きができたときに、オーバフロー部８に保留されている硬貨を硬貨スタッカ部７に補充、あるいはオーバフロー部８に保留されている硬貨を鑑別部３’によって鑑別した後に該当金種を硬貨スタッカ部７に補充するようにしている。
【００１９】
この際、リサイクル率の高い金種の硬貨として、指定された金種を指定された枚数の硬貨とし、オーバフロー部８に保留し、他の硬貨を硬貨カセット部９に収納するようにしている。
【００２０】
また、硬貨スタッカ部７に補充する硬貨の金種を混合して収納する随時補充カセット部４を設け、随時補充カセット部４から取り出した硬貨を鑑別部３’によって鑑別した後に硬貨スタッカ部７に補充するようにしている。
【００２１】
また、オーバフロー部８および随時補充カセット部４に、予め硬貨を収納してより多くの硬貨を補充するようにしている。
また、硬貨スタッカ部７内の硬貨を取り出して鑑別部３’によって鑑別した後に硬貨スタッカ部７に戻して硬貨スタッカ部７内の硬貨の現在高を確定するようにしている。
【００２２】
また、随時補充カセット部４の硬貨を取り出して鑑別部３’によって鑑別した後にオーバフロー部８に収納して随時補充カセット部４内の硬貨の現在高を確定するようにしている。
【００２３】
従って、入金された硬貨のうち支払用の硬貨スタッカ部７に収納できない硬貨を一時的にオーバフロー部８に保留し硬貨スタッカ部７に空きができときに自動補充する機能を設けると共に随時補充カセット部４に任意の金種の硬貨を混合補充可として鑑別して該当金種の硬貨スタッカ部７に自動補充および未補充硬貨をオーバフロー部８で保留する機能を設けることにより、入金された硬貨のリサイクルを実現、および硬貨の任意の金種を混合して補充可として操作性を向上させることが可能となる。
【００２４】
【実施例】
次に、図１から図８を用いて本発明の実施の形態および動作を順次詳細に説明する。
【００２５】
図１は、本発明のシステム構成図を示す。
図１において、硬貨ユニット２１は、硬貨を入金したり、出金したりするものであって、１から１４，３’などから構成されるものであり、後述する図８の自動預金支払機などに組み込まれるものである。
【００２６】
シャッタ部１は、入出金口部２を開いたり、閉じたりするものである。
入出金口部２は、硬貨を入金（投入）したり、出金し（取り出し）たりするものである。
【００２７】
繰り出し部３は、入出金口部２にここでは、投入された硬貨を繰り出して鑑別部３’に搬送するものである。
鑑別部３’は、硬貨の金種や真偽を鑑別するものである。
【００２８】
随時補充カセット部４は、硬貨スタッカ部７に補充する硬貨を収納するものであって、ここでは、異なる金種の硬貨を混在して収納するものである。
一次保留部５は、鑑別部３’で鑑別された後の硬貨を保留するものである。
【００２９】
一次保留ベルト６は、一次保留部５で保留されなかった硬貨を保留するものである。
硬貨スタッカ部７は、出金する硬貨を金種毎に収納するものであって、ここでは、一次保留部５に保留された硬貨を収納するものである。
【００３０】
オーバフロー部８は、一次保留ベルト６に保留された硬貨を収納するものである。
硬貨カセット部９は、オーバフロー部８に収納された硬貨のうち、リサイクル利用しないと判明した硬貨を収納するものであって、一旦収納されるとリサイクル利用不可となるものである。
【００３１】
取り忘れ部１０は、顧客が入出金口２に入金（投入）したり、出金したりしたときに取り出すことを忘れた硬貨を収納するものである。
運用リジェクト部１１は、運用中に鑑別して不良などと判明した硬貨を収納（排出）するものである。
【００３２】
補充リジェクト部１２は、補充時に鑑別して不良などと判明した硬貨を収納（排出）するものである。
異物回収庫１３は、入出金口２に投入された異物（例えばクリップ）を格納するものである。
【００３３】
制御手段１４は、プログラムに従い各種制御を行うものであって、後述する図２および図７のフローチャートに示す処理を行うものであり、図２および図７の図示の各種手段から構成されるものである。
【００３４】
次に、図２のフローチャートの順番に従い、図１の構成の動作を詳細に説明する。
図２は、本発明の動作説明フローチャートを示す。
【００３５】
図２において、Ｓ１は、硬貨入金取引を選択する。これは、後述する図４の種別選択画面上で、顧客が硬貨入金取引として例えば「硬貨預金」を選択する。
Ｓ２は、硬貨シャッタ部をオープンする。これは、図１のシャッタ部１をオープン（開）にする。
【００３６】
Ｓ３は、入出金口で挿入媒体を検知か判別する。これは、入出金口部２で硬貨の投入を検知か判別する。ＹＥＳの場合には、Ｓ４に進む。ＮＯの場合には、Ｓ３に戻り繰り返し待機する。
【００３７】
Ｓ４は、一次鑑別処理を行う。これは、Ｓ３のＹＥＳで入出金口部２で硬貨を検知したので、検知した硬貨を鑑別部３’に搬送して真偽、真の場合には金種（１０円、５０円、１００円などの金種）を鑑別する。
【００３８】
Ｓ５は、硬貨スタッカ部７が満杯か、又は入金硬貨収納不可か判別する。ＹＥＳの場合には、Ｓ６で一次保留ベルト部６上に収納する。一方、ＮＯの場合には、図１の硬貨スタッカ部７に収納可と判明したので、Ｓ７で一次保留部５に収納する。
【００３９】
Ｓ８は、入金金額画面を表示する。これは、鑑別部３’で鑑別した硬貨の金種と枚数、総額を画面上に表示して顧客に知らせる。
Ｓ９は、顧客が「確認」キーを押下する。これは、Ｓ８で画面上に表示された確認のための金額を見て、確認キー（あるいは画面上の確認ボタン）を指で押下する。
【００４０】
Ｓ１０は、Ｓ９で確認キーが押下されたので、入金収納処理を開始する。
Ｓ１１は一次保留部５の硬貨を硬貨スタッカ部７に収納する。
Ｓ１２は、一次保留ベルト部６上の硬貨を鑑別部３’に搬送する。
【００４１】
Ｓ１３は、鑑別処理を行う。これは、硬貨の真偽、金種を判別する。
Ｓ１４は、硬貨スタッカ部７に１０枚以上の空き容量がありか判別する。ＹＥＳの場合には、Ｓ１５で硬貨スタッカ部７に硬貨を収納する。そして、Ｓ１６に進む。一方、Ｓ１４のＮＯの場合には、Ｓ１６に進む。
【００４２】
Ｓ１６は、オーバフロー部８の収納許可金種か判別する。これは、リサイクル率の高い硬貨の金種か判別する。ＹＥＳの場合には、Ｓ１７で硬貨をオーバフロー部８へ収納し、終了する。一方、ＮＯの場合には、Ｓ１８で硬貨カセット部９へ収納し、硬貨の再利用を行わない。
【００４３】
以上によって、顧客が硬貨を入出金口に投入すると、鑑別して該当一次保留部５に収納、あるいは硬貨スタッカ部７に空きがないときは一次保留ベルト部６に収納し、顧客が確認キーを押下すると、一次保留部５上の硬貨を硬貨スタッカ部７に収納し、一方、一次保留ベルト部６上の硬貨を鑑別してリサイクル率の高い金種の硬貨についてオーバフロー部８に収納して硬貨スタッカ部７に空きができると当該硬貨スタッカ部７に収納するのを待ち、そうでない金種の硬貨は硬貨カセット部９に収納して排出する。これらにより、硬貨スタッカ部７に収納し得ない硬貨について、リサイクル率の高い金種の硬貨のみをオーバフロー部８に収納して効率的に再利用を待つことが可能となり、管理者の硬貨補充の作業を軽減し、一度の硬貨補充で長期に渡り硬貨無しの状態になることを防止することが可能となる。
【００４４】
図３は、本発明のオーバフローリサイクルテーブル例を示す。これは、既述した図２のＳ１６のＹＥＳおよびＳ１７でリサイクル率の高い硬貨としてオーバフロー部８に収納する金種と許可枚数を対応づけて設定するテーブルである。ここでは、例えば図示の下記の金種を右側に記載した枚数だけ、オーバフロー部８に最大、収納する。この枚数以上、あるいは設定されていない金種は、排出する（硬貨カセット部９に収納してリサイクル搬送路から排出する）。
【００４５】
0003721278.tif 000002
尚、テーブルは、管理者が随時任意に設定変更、あるいは、図１の制御手段１４が硬貨の金種のリサイクル率を実測（出金口から顧客に出金する硬貨の金種毎の集計を採取して実測）し、出金する枚数が多い金種ほどテーブルに設定する許可枚数を動的に多く更新し、リサイクル率を良くし、管理者による硬貨補充作業を最小限にするようにする。
【００４６】
図４は、本発明の種別選択画面（顧客操作部）例を示す。この画面は、顧客が後述する自動預金支払機の種別選択画面の例であって、ここでは、画面上から取引ボタンを１つ、例えば硬貨預金ボタンを押下する。そして、既述した図２のＳ２に進む。
【００４７】
図５は、本発明の随時補充カセット部（混合カセットタイプ）例を示す。本発明の図１の随時補充カセット部４は、硬貨の異なる金種を混合して任意に各筒に補充することができる。
【００４８】
図５の（ａ）は随時補充カセット部４の蓋が閉じている状態を示し、図５の（ｂ）は蓋を開けた状態を示す。図５の（ｂ）の蓋を開けた状態では、ここでは、１から７の７本の筒があり、各筒には異なる金種の硬貨をそれぞれ混合して補充することができる。随時補充カセット部４に補充された金種の混合した硬貨は、硬貨スタッカ部７に空きができると、鑑別部３’に搬送して金種を鑑別してから該当金種の硬貨スタッカ部７に収納し、該当金種でない硬貨はオーバフロー部８に収納して再利用を待つ。
【００４９】
以上のように、随時補充カセット部４に異なる金種の硬貨を補充できるため、・従来の同じ金種を１本（例えば５０枚）単位にしか補充できなかったときの使い勝手の悪さを解決し、混合して任意の金種の硬貨を補充して使い勝手を良くすることが可能となる。
【００５０】
・更に、１本（例えば５０枚）単位にしか硬貨スタッカ部７に収納できなかったものが、硬貨スタッカ部７に５０枚の空きができなくても、設定した任意の枚数（例えば１０枚）の空きができたときに随時補充カセット部４から鑑別して該当金種の硬貨を補充でき、補充をこまめに迅速に行うことが可能となる。
【００５１】
図６は、本発明の硬貨の収納状態図を示す。図中の１から１２，３’は、図１の同一番号のものであるので、名称を省略する。
図６の（ａ）は、硬貨が入金されたときの収納状態を示す。ここでは、図示の点線の矢印の経路を搬送して、入金された硬貨は、入出金口２、繰り出し部３、鑑別部３’を経て、硬貨スタッカ部７に収納可能な枚数分を一次保留部６に収納し、あふれ分は一次保留ベルト部６上へ収納する。
【００５２】
図６の（ｂ）は、図６の（ａ）の状態で、顧客が確認キーを押下して入金取引を行うときの収納状態を示す。ここでは、点線の矢印の経路で示すように、一次保留部５の硬貨は硬貨スタッカ部７へ直接に収納し、一次保留ベルト部６上のあふれ硬貨は、繰り出し部３、鑑別部３’で金種を鑑別し、リサイクル率の高い金種の硬貨をオーバフロー部８へ収納し、リサイクル率の低い金種の硬貨を硬貨カセット部９に収納してリサイクルの対象から外す。
【００５３】
図６の（ｃ）は、出金取引で硬貨スタッカ部７に空きができ、オーバフロー部８からあふれ硬貨を硬貨スタッカ部７に補充するときの収納状態を示す。ここでは、図示の点線の矢印の経路で示すように、硬貨スタッカ部７に所定枚数の空き（例えば１０枚以上の空き）ができたので、オーバフロー部８から繰り出し部３、鑑別部３’で硬貨の金種を鑑別し、一次保留部５を経由して該当する空きの硬貨スタッカ部７に補充し、該当しない金種の硬貨は再度、オーバフロー部８に収納する。
【００５４】
以上のように、入金処理時に硬貨スタッカ部７に空きがあれば補充し、なければリサイクル率の高い金種のあふれ硬貨をオーバフロー部８に収納し、出金処理時に硬貨スタッカ部７に所定枚数以上の空きができたときにオーバフロー部８から硬貨を取り出して鑑別して該当金種の硬貨を硬貨スタッカ部７に補充し、該当しない金種の硬貨をオーバフロー部８に再収納することにより、入金時に硬貨を硬貨スタッカ部７に補充し、補充し得ない硬貨を保留し、出金時に保留した硬貨のうちから該当金種の硬貨を硬貨スタッカ部７に補充でき、リサイクル率を大幅に高めて管理者の硬貨補充の期間を大幅に長くして補充作業の軽減を図ることが可能となる。
【００５５】
図７は、本発明の動作説明フローチャートを示す。これは、顧客待ち状態での硬貨を自動補充するときのフローチャートである。
図７において、Ｓ２１は、顧客待ち処理を開始する。
【００５６】
Ｓ２２は、硬貨スタッカ部７に５０枚以上空きがありか判別する。ＹＥＳの場合には、Ｓ２３に進む。ＮＯの場合には、現在、硬貨スタッカ部７に５０以上の空きが無いと判明したので、Ｓ２７で現在、随時補充カセット部４から補充した場合、硬貨スタッカ部７に収納できないあふれ硬貨がオーバフロー部８に収納可能か判別し、ＹＥＳのときにＳ２５に進み、ＮＯのときにＳ２３に進む。
【００５７】
Ｓ２３は、オーバフロー部８に硬貨ありか判別する。ＹＥＳの場合には、Ｓ２４でオーバフロー部８からあふれ硬貨を硬貨スタッカ部７に補充（オーバフロー部８、鑑別部３’一次保留部５を経由して硬貨スタッカ部７に補充）し、Ｓ２５に進む。一方、Ｓ２３のＮＯの場合には、Ｓ２５に進む。
【００５８】
Ｓ２５は、随時補充カセット部４がセット状態、かつ随時補充カセット部４内に枚数ありか判別する。これは、随時補充カセット部４がセットされ、かつ硬貨が補充されているか判別する。ＹＥＳの場合には、Ｓ２６で随時補充カセット部４から補充（随時補充カセット部４、鑑別部３’、一次保留部５を経由して硬貨スタッカ部７に補充）し、終了する。一方、Ｓ２５のＮＯの場合には、終了する。
【００５９】
以上によって、顧客待ち処理中に、
・硬貨スタッカ部７に５０枚以上の空きがある場合には、オーバフロー部８から硬貨を再鑑別して硬貨スタッカ部７に補充した後、
・あるいは硬貨スタッカ部７に５０以上の空きがない場合には、硬貨スタッカ部７とオーバフロー部８とを合わせて５０枚以上の空きがあると判明したとき、
・随時補充カセット部４から硬貨スタッカ部７に補充する
ことにより、効率的にオーバフロー部８および随時補充カセット部４から硬貨を硬貨スタッカ部７に補充することが可能となる。
【００６０】
図８は、本発明に係る自動預金支払機構成図を示す。
図８において、硬貨ユニット２１は、硬貨の入出金を行うものであって、既述した図１の構成を持つものである。
【００６１】
ＤＯＣ系ユニット３１は、カードユニット３２および通帳ユニット３３から構成されるものである。
カードユニット３２は、入出金に関するカードの読み取り、書き込みを行うものである。
【００６２】
通帳ユニット３３は。入出金に関する通帳の読み取り、磁気テープの読み取りや書き込み、通帳への印刷などを行うものである。
紙幣ユニット３４は、紙幣を入出金するものである。
【００６３】
対センタ又はターミナルコントローラ３６は、回線を介して接続して各種情報の確認要求や残高の照会などを行うものである。
制御部３５は、全体を統括制御するものである。
【００６４】
遠隔監視装置３７は、自動預金支払機を回線を介して監視するものである。
顧客操作部３８は、自動預金支払機を顧客が操作して入出金するものであって、既述した図４の画面を表示するカラーディスプレイ、画面上に表示して各種操作確認やデータ入力するタッチキーボード、各種操作の案内や確認ボタンの押下を促す音声ガイダンス、顧客が自動預金支払機に近ずいたときに画面を表示などする顧客センサなどから構成されるものである。
【００６５】
管理操作部３９は、管理者が各種操作を行うためのものであって、ＩＤカードシステム、管理者用の各種操作画面を表示する液晶ディスプレイ、管理用の各種データや指示を入力するキーボードなどから構成されるものである。ここで、管理者が管理者用のカードをＩＤカードシステムに挿入して正当権限のある管理者と認められたときに電磁ロック手段に指示して自動預金支払機の裏側などの管理者用の扉を開放したりなどするものである。
【００６６】
ハードディスク装置４０は、各種データやプログラムを格納するものである。フロッピィディスク装置４１は、フロッピィディスクを読み書きするものである。
【００６７】
電源４２は、全体の電源を供給するものである。
【００６８】
【発明の効果】
以上説明したように、本発明によれば、入金された硬貨のうち支払用の硬貨スタッカ部７に収納できない硬貨を一時的にオーバフロー部８に保留し硬貨スタッカ部７に空きができときに自動補充する機能を設けると共に随時補充カセット部４に任意の金種の硬貨を混合補充可として鑑別して該当金種の硬貨スタッカ部７に自動補充および未補充硬貨をオーバフロー部８で保留する機能を設ける構成を採用しているため、入金された硬貨のリサイクルを実現できると共に、硬貨の任意の金種を混合して硬貨補充カセット部４に補充可として操作性を向上させることができる。
【図面の簡単な説明】
【図１】本発明のシステム構成図である。
【図２】本発明の動作説明フローチャートである。
【図３】本発明のオーバフローリサイクルテーブル例である。
【図４】本発明の種別選択画面（顧客操作部）例である。
【図５】本発明の随時補充カセット部（混合カセットタイプ）例である。
【図６】本発明の硬貨の収納状態図である。
【図７】本発明の動作説明フローチャート（顧客待ち状態での自動補充）である。
【図８】本発明に係る自動預金支払機構成図である。
【図９】従来技術の説明図である。
【符号の説明】
１：シャッタ部
２：入出金口部
３：繰り出し部
３’：鑑別部
４：随時補充カセット部
５：一次保留部
６：一次保留ベルト部
７：硬貨スタッカ部
８：オーバフロー部
９：硬貨カセット部
【図１】
0003721278.tif 000003
【図２】
0003721278.tif 000004
【図３】
0003721278.tif 000005
【図４】
0003721278.tif 000006
【図５】
0003721278.tif 000007
【図６】
0003721278.tif 000008
【図７】
0003721278.tif 000009
【図８】
0003721278.tif 000010
【図９】
0003721278.tif 000011